(57)【特許請求の範囲】
【請求項１】
下面が開放した直方形コントロールボックスの両端部に取り付けられた直管形蛍光ランプ用ソケットと前記コントロールボックスの下面に取り付けられた笠形反射板より成る照明器具を用いて、前記蛍光ランプ用ソケットを取り外し、その個所に、ＬＥＤ電球または蛍光電球用口金を有するソケット本体の上面に前記コントロールボックスの両端部と係合する抜き差し係合手段を設けたＬＥＤ電球または蛍光電球用ソケットを取り付けることから成る照明器具の製作方法。
【請求項２】
前記ＬＥＤ電球または蛍光電球用ソケットをやゝ下方に傾斜させて取り付けることから成る請求項１に記載の照明器具の製作方法。
【発明の詳細な説明】
【技術分野】
【０００１】
この発明は、照明器具用のソケットだけを新たに用意して消費電力を大幅に削減できる照明器具を簡単かつ安価に製作できる方法に関する。
【背景技術】
【０００２】
近年エネルギ資源の不足が世界的な問題となっているが、現実に電力不足が生じており、節電への要請は高い。勿論、節電はコスト面でも歓迎すべきことである。
【０００３】
ところで、通常の工場やオフィス室内では、照明器具として長方形の所謂笠形反射板内に一本以上の直管形蛍光ランプを配置したものが用いられている。言うまでもなく直管形蛍光ランプの消費電力は大きく、安定器やグロー球も必要で、多数の笠型照明器具を設置することは極めて非経済的である。従来のこのような照明器具をＬＥＤ電球または蛍光電球を用いたものに置き換えることができれば経済的であることは知られているが、既設の
照明器具を一挙に新たな省エネルギ形照明器具に交換するのもコスト的に負担が重く、かつ既設の電気配線や照明器具を廃棄するのも無駄が大きい。
【発明の概要】
【発明が解決しようとする課題】
【０００４】
そこでこの発明の課題は、長方形笠型照明器具の設置位置並びに既設の電気配線を大きく変えることなく、簡単で安価な設計変更または改造工事により、ＬＥＤ電球または蛍光電球を取り付けることができるようにし、電力消費量を大きく削減して電気料金の節減を計ろうとすることである。
【課題を解決するための手段】
【０００５】
上記の課題を解決するため、この発明においては、下面が開放した直方形コントロールボックスの両端部に取り付けられた直管形蛍光ランプ用ソケットと前記コントロールボックスの下面に取り付けられた笠形反射板より成る照明器具を用いて、前記蛍光ランプ用ソケットを取り外し、その個所に、ＬＥＤ電球または蛍光電球用口金を有するソケット本体の上面に前記コントロールボックスの両端部と係合する抜き差し係合手段を設けたＬＥＤ電球または蛍光電球用ソケットを取り付ける方法を採用したのである。
【０００６】
上記ＬＥＤ電球または蛍光電球用ソケットは抜き差し係合手段によって前記ボックスに着脱可能に取り付けるのが好ましい。さらに、電球の光の特性や指向性により、ＬＥＤ電球または蛍光電球用ソケットがやゝ下方に傾斜するように取り付けることもできる。
【発明の効果】
【０００７】
この発明によれば、以上のように、従来の直管形蛍光ランプ用ソケットに換えて、簡単に取り付けできるＬＥＤ電球または蛍光電球用ソケットを用いたので、安定器やグロー球も不要となり大幅に消費電力量を削減することができ、また直管形蛍光ランプを用いた笠形照明器具に、天井からの電気配線に直接接続可能な機能を有する球形ランプ用ソケットを取り付ける簡単な改造だけで、この発明の照明器具を製作できるのでコスト面でも大きなメリットがある。
【図面の簡単な説明】
【０００８】
【図１】（Ａ）は照明器具用ソケットの一例を示す側面図、（Ｂ）は同正面図、
【図２】照明器具用ソケットの他の例を示す側面図、
【図３】従来の照明器具の例を示す分解斜視図、
【図４】反射板の取り付け状態を示す部分斜視図、
【図５】電球用ソケットの取付け状態を示す正面図である。
【発明を実施するための形態】
【０００９】
以下この発明の実施形態を添付図面に基づいて説明する。まず、照明器具の製作方法に用いるソケット１０は、図１及び図２に示すように、ＬＥＤ電球や蛍光電球を挿し込むことができるらせん口金（Ｅ形）１２を一体に設けた本体１１と、本体１１の上面に設けられた取付け用突起１３より成る。これらの本体１１と突起１３は、例えば合成樹脂の一体成形によって形成されたものである。
【００１０】
前記突起１３は、図１（Ｂ）に示されるように、正面から見てほぼＴ字形になっており、両側に溝１４、１４が形成されている。また、口金１２及び接点１２ａにつながるプラグ挿入口１５が設けられている。この挿入口１５に後述する配線接続用プラグ２７が挿し込まれる。なお、プラグ挿入口１５に換えて、単に口金１２及び接点１２ａにつながるリード線が設けられたものでもよい。
【００１１】
図２にソケット１０の変形例を示す。図示のように、口金１２を有する本体１１をやゝ下方に傾斜させることができる。これによって、ＬＥＤ電球または蛍光電球をやゝ下方に向けて傾斜させることができる。
【００１２】
次に、上記のようなソケット１０を従来の照明器具に取り付け、新たな照明器具を製作する方法について説明する。図３は従来の直管形蛍光ランプを装着した照明器具の一例を示す。従来の照明器具は、図示のように、天井内の適当な支持面Ａに対してボルト・ナット等の固定手段Ｂにより固定される直方形のコントロールボックス２０と、このボックス２０に取り付けられる安定器２１、２１及びソケット２２、２２と、前記ボックス２０の下面に取り付けられる笠形反射板３０と、前記ソケット２２、２２に取り付けられる直管形蛍光ランプ４０、４０及びグローランプ４１、４１より成る。前記笠形反射板３０は断面が台形または欠円形をなし、適当な手段によって前記ボックス２０の下面に固定される。例えば図示の場合、ボックス２０の下面に横バー２３、２３が固定され、それぞれの横バー２３にラッチ２３ａが設けられ、図４に示すように反射板３０に設けられた長孔３１に挿し込んで係止できるようになっている。また、ボックス２０には、その両端部の下面にフランジ２４、２４が設けられ、ソケット２２の上端に設けられた突起２５によってボックス２０の両端部に取り付けることができるようになっている。また、反射板３０の両端には凸状の切欠き３２が設けられ、図４に示すように、反射板３０をラッチ２３ａによってボックス２０に取り付けたとき、ソケット２２が反射板３０内に突出するのを許容するようになっている。なお、ソケット２２には、配線２６がプラグ２７によって接続されている。
【００１３】
上記のような照明器具を次のような手順で改造して行く。まず蛍光ランプ４０及びグローランプ４１を取り外し、反射板３０も取り外す。次いでソケット２２をボックス２０のフランジ２４から取り外し、配線２６との接続を外す。ソケット２２と配線２６がプラグ２７で接続されていればプラグを抜くだけでよい。
【００１４】
上記直管形蛍光ランプ用ソケット２２に換えて、図１または図２に示すような新たなソケット１０を取り付ける。前述のように、このソケット１０にはＴ字形突起１３が設けられているので、図５に示すように、ボックス２０の両端のフランジ２４をＴ形突起１３の両側の溝１４に嵌め合せる。そしてプラグ挿入口１５に配線２６のプラグ２７を挿し込んだ後、反射板３０をボックス２０に取り付ける。このとき、ソケット１０の形状が従来のソケット２２と異なり、反射板３０の両端の凸形切欠き３２が通過できない（引掛る）ことがある。その場合には、反射板３０の両端部を切断したり、研削する等の方法でソケット１０の形状に合致するような加工を施せばよい。その後、ＬＥＤ電球または蛍光電球をソケット１０に挿し込めば照明器具が完成する。なお、新たな抜き差し係合手段によるソケット１０の構造上その全長が少し長くなり従来の反射板３０の切欠き３２の形状では組立てに支障をきたすようであれば、切欠き３２の形状を合致するようにした新たな反射板を用いればよい。
【００１５】
また、コントロールボックス２０には、安定器等の機器が装着されており、それらを取り除くのが困難な場合そのまま放置してもよいが、電気工事上の安全性などの観点から前記のような機器を装着していない新たなコントロールボックスを用いてもよい。
【００１６】
さらに反射板３０の形状も笠形のみを示したが、両端部に端板を設けた箱形のものでもよい。その場合には端板に直接ソケットを取り付けることもできる。
【符号の説明】
【００１７】
Ａ  支持面
Ｂ  固定手段
１０  ソケット
１１  ソケット本体
１２  口金
１２ａ  接点
１３  Ｔ形突起
１４  溝
１５  プラグ挿入口
２０  コントロールボックス
２１  安定器
２２  ソケット
２３  横バー
２３ａ  ラッチ
２４  フランジ
２５  突起
２６  配線
２７  プラグ
３０  笠形反射板
３１  長孔
３２  凸形切欠き
４０  直管形蛍光ランプ
４１  グローランプ
【図１】
0005633756.tif 000002
【図２】
0005633756.tif 000003
【図３】
0005633756.tif 000004
【図４】
0005633756.tif 000005
【図５】
0005633756.tif 000006